【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
注油又は流体供給を必要とする装置に取り付けることができるフィッティングであって、前記フィッティングは、挿入可能部分と、前記フィッティングの前記挿入可能部分の外面の少なくとも１つの周囲溝に開口する１つ以上の入口と前記挿入可能部分の遠位で前記フィッティングの端部を通る第２の出口とに接続するフィッティング流路とを有し、前記フィッティングは、前記周囲溝のいずれかの側に少なくとも１つの封止溝をさらに含み、連続的な可撓性シールが設けられている、フィッティングと、
流体リザーバに接続可能な相補型のカプラであって、前記カプラは、本体と、内側壁を有する孔とを有し、前記孔が、前記フィッティングの挿入可能部分の上に締まり嵌めするように寸法決めされ、前記カプラが、更に、前記孔の前記内側壁を通る１つ以上の供給路出口を備える供給路を有している、相補型のカプラと、
を備え、
前記挿入可能部分が前記孔内の送出位置にあるときに、流体を圧力下で前記流体リザーバから前記供給路を介して前記フィッティング流路まで送ることができ、前記流体が、前記供給路を少なくとも１つの供給路出口から出て、前記１つ以上の入口を介して前記フィッティング流路に通ることができる、装置。
【請求項２】
前記周囲溝に、Ｏリングまたはガスケットのような、さらに連続的な可撓性シールが設けられている、請求項１に記載の装置。
【請求項３】
前記カプラの前記孔は、不要流体の経路を提供する少なくとも１つの通気孔を有する、請求項１に記載の装置。
【請求項４】
前記カプラの前記孔は、挿入軸を規定し、前記供給路出口は、前記孔の側壁に配置され、流体を前記挿入軸に対して横方向に放出するように構成された、請求項１に記載の装置。
【請求項５】
前記フィッティング流路は、弾性取り付けされた球状ボールとしての少なくとも１つの可動封止手段を有する、請求項１に記載の装置。
【請求項６】
前記カプラが、カプラ軸を規定する概略細長い本体であり、前記本体を通る流体流が、前記カプラ軸と概略平行であり、
前記フィッティングが、前記フィッティング軸を規定する細長い本体であり、前記フィッティング本体を通る流れが、前記フィッティング軸に概略平行であり、
結合中、前記カプラ軸が前記フィッティング軸に対して所定の角度を有している、請求項１に記載の装置。
【請求項７】
前記角度は９０度である、請求項６に記載の装置。
【請求項８】
注油又は流体供給を必要とする装置に取り付けることができるフィッティングであって、前記フィッティングは、挿入可能部分と、前記フィッティングの前記挿入可能部分の外面の少なくとも１つの周囲溝に開口する１つ以上の入口と前記挿入可能部分の遠位で前記フィッティングの端部を通る第２の出口とに接続する接続するフィッティング流路とを有し、前記フィッティングは、前記周囲溝のいずれかの側に少なくとも１つの封止溝をさらに含み、前記封止溝と前記周囲溝に連続的な可撓性シールが設けられている、フィッティングと、
流体リザーバに接続可能な相補型のカプラであって、前記カプラは、本体と、内側壁を有する孔とを有し、前記孔が、前記フィッティングの挿入可能部分の上に締まり嵌めするように寸法決めされ、前記カプラは、不要流体がそこから漏れることを可能にするように構成された少なくとも１つの通気孔を有し、前記カプラが、更に、前記孔の前記内側壁を通る１つ以上の供給路出口を備える供給路を有し、前記カプラの前記孔は挿入軸を規定し、前記供給路出口は前記挿入軸に対して所定の角度をなしている、相補型のカプラと、
を備え、
前記挿入可能部分が前記孔内の送出位置にあるときに、流体を圧力下で前記流体リザーバから前記供給路を介して前記フィッティング流路まで送ることができ、前記流体が、前記供給路を少なくとも１つの供給路出口から出て、前記１つ以上の入口を介して前記フィッティング流路に通ることができる、装置。
【請求項９】
前記連続柔軟封止材は、Ｏリングまたはガスケットである、請求項８に記載の装置。
【請求項１０】
前記封止溝内に、前記カプラの前記孔の前記内側側壁に対する流体密封を形成するように寸法決めされた連続柔軟封止材がある、請求項８に記載の装置。
【請求項１１】
前記フィッティング流路は、弾性取り付けされた球状ボールとしての少なくとも１つの可動封止手段を有する、請求項８に記載の装置。
【請求項１２】
前記カプラが、カプラ軸を規定する概略細長い本体であり、前記本体を通る流体流が、前記カプラ軸と概略平行であり、
前記フィッティングが、前記フィッティング軸を規定する概略細長い本体であり、前記フィッティング本体を通る流れが、前記フィッティング軸に概略平行であり、
結合中、前記カプラ軸が前記フィッティング軸に対して所定の角度を有している、請求項８に記載の装置。
【請求項１３】
前記角度は９０度である、請求項１２に記載の装置。
【請求項１４】
前記フィッティング流路が、第２の流路径部分に至る第１の流路径部分を有し、前記第２の部分より小さい前記第１の径部分がバルブシートを規定し、
前記球状ボールが、前記バルブシートに付勢し封止するように前記第２の流路径部分内に配置された、請求項８に記載の装置。
【請求項１５】
前記１つ以上の供給路出口が、前記カプラの前記内側側壁のまわりに延在する１つ以上の溝に存在する、請求項８に記載の装置。
【手続補正２】
【補正対象書類名】明細書
【補正対象項目名】０２５５
【補正方法】変更
【補正の内容】
【０２５５】
以下の説明のため、用語「上側」、「下側」、「右」、「左」、「垂直」、「水平」、「上」、「下」、「横方向」、「横断」、「縦方向」、「側面」、「前」、「後」及びこれらの派生語は、図面内で向きが定められるときに発明に関連するものとする。しかしながら、本発明が、特に断らない限り、様々な代替変形を想定できることを理解されたい。また、添付図面に示され以下の明細書に記載された特定の装置が、本発明の単に例示的な実施形態であることを理解されたい。したがって、本明細書に開示された実施形態と関連した特定の寸法及び他の物理的特性は、限定と見なされるべきでない。
なお、本出願に係る出願当初の特許請求の範囲は、以下の通りである。
［請求項１］
注油又は流体供給を必要とする装置に取り付けるように構成された供給装置であって、
フィッティングと、
流体リザーバに（直接又は間接に）接続可能な相補的カプラと、を備え、
前記フィッティングが、挿入可能部分とフィッティング流路とを有し、前記フィッティング流路が、前記フィッティングの前記挿入可能部分の側面を通る１つ以上の入口と、前記挿入可能部分の遠位で前記フィッティングの端部上に配置されたフィッティング出口とを有し、
前記カプラが、本体と、内側壁を有する孔とを有し、前記孔が、前記フィッティングの挿入可能部分の上に締まり嵌めするように寸法決めされ、
前記カプラが、更に、前記孔の前記内側壁を通る１つ以上の供給路出口を備える供給路を有し、その結果、前記挿入可能部分が前記カプラの前記孔内の送出位置にあるときに、流体を圧力下で前記流体リザーバから前記供給路を介して前記フィッティング流路まで送ることができ、前記流体が、前記供給路を少なくとも１つの供給路出口から出て、前記１つ以上の入口を介して前記フィッティング流路に通ることができる供給装置。
［請求項２］
前記フィッティング流路が、少なくとも１つの可動封止手段を有する、請求項１に記載の供給装置。
［請求項３］
前記可動封止手段が、前記フィッティング流路の各第１の入口の近くに配置された、請求項２に記載の供給装置。
［請求項４］
前記封止手段が、弾性取り付けされた球状ボールである、請求項２又は請求項３に記載の供給装置。
［請求項５］
前記フィッティング流路が、第２の流路径部分に至る第１の流路径部分を有し、前記第２の部分より小さい前記第１の径部分がバルブシートを規定し、
前記球状ボールが、前記バルブシートに付勢し封止するように前記第２の流路径部分内に配置された、請求項４に記載の供給装置。
［請求項６］
各入口が、孔又はスロットであり、１〜１０００μmの幅を有する、請求項１〜５のいずれかに記載の供給装置。
［請求項７］
１対の平行スロットの形の入口があり、各入口が、前記フィッティングの前記挿入可能部分の断面の大部分又は実質的に全てを横切って延在する、請求項１〜６のいずれかに記載の供給装置。
［請求項８］
前記挿入可能部分が、挿入軸を規定し、前記入口が、前記挿入可能部分の側壁内に配置され、流体を前記軸に対して横方向に受け取るように構成された、請求項１〜７のいずれかに記載の供給装置。
［請求項９］
前記横受け取り方向が、前記軸に垂直である、請求項８に記載の供給装置。
［請求項１０］
前記カプラの前記孔が、第２の挿入軸を規定し、前記供給路出口が、前記孔の側壁に配置され、流体を前記第２の軸に対して横方向に放出するように構成された、請求項１〜９のいずれに記載の供給装置。
［請求項１１］
前記横放出方向が、前記第２の軸に垂直である、請求項１０に記載の供給装置。
［請求項１２］
前記フィッティングの前記挿入可能部分が、円錐台形状であり、前記カプラの前記孔が、相補的円錐台形状である、請求項１〜１１のいずれかに記載の供給装置。
［請求項１３］
前記円錐台形状が、挿入方向から１５°未満テーパされた、請求項１２に記載の供給装置。
［請求項１４］
前記挿入可能部分は、断面が概略円筒状であり、前記概略円筒状挿入可能部分の軸に平行な挿入方向を規定する、請求項１〜１２のいずれかに記載の供給装置。
［請求項１５］
前記１つ以上の供給路出口が、前記カプラの前記内側側壁のまわりに延在する１つ以上の溝に開く、請求項１〜１４のいずれかに記載の供給装置。
［請求項１６］
１〜１０個の供給路出口がある、請求項１〜１５のいずれかに記載の供給装置。
［請求項１７］
６個の供給路出口がある、請求項１６に記載の供給装置。
［請求項１８］
前記装置には追加の封止要件がなく、前記カプラの前記孔と前記フィッティングの前記挿入可能部分が係合されたときに流体密封を形成するように寸法決めされた、請求項１〜１７のいずれに記載の供給装置。
［請求項１９］
前記フィッティングが、前記挿入可能部分の周囲に配置された少なくとも１つの周囲溝を有し、前記１つ以上の入口が、前記溝と連通し前記フィッティング流路に至る、請求項１〜１８のいずれかに記載の供給装置。
［請求項２０］
少なくとも１つの連続柔軟封止材の形の更に他の封止手段が、前記周囲溝内に配置されてまわりの周囲ギャップから出て、前記柔軟封止が、流体を前記１つ以上の入口からまわりに押し出すことができるようにサイズ決めされた、請求項１９に記載の供給装置。
［請求項２１］
前記フィッティングの前記挿入可能部分が、前記カプラと前記フィッティングの間の流体密封を提供する流体封止手段を有する、請求項１〜２０のいずれかに記載の供給装置。
［請求項２２］
前記フィッティングが、前記フィッティングの前記挿入可能部分の周囲に、１対の平行な連続フィッティング封止溝、第１のフィッティング封止溝及び第２のフィッティング封止溝を有し、
前記第１の溝が各入口の高さより上にあり、前記第２の溝が各入口より下にあり、
各フィッティング封止溝内に、前記カプラの前記孔の前記内側側壁に対する流体密封を形成するように寸法決めされた連続柔軟封止材がある、請求項２１に記載の供給装置。
［請求項２３］
前記カプラが、前記孔の内縁のまわりに、第３のカプラ封止溝と第４のカプラ封止溝を含む１対の平行な連続カプラ封止溝を有し、
前記第３の溝は、前記カプラが使用中に、前記第３の溝が前記フィッティング内の各入口の高さより上にあり、前記第４の溝が前記フィッティングの各入口の高さより下にあるように寸法決めされ、
各カプラ封止溝内に、前記フィッティングの前記挿入可能部分の外側に対して流体密封を形成するように寸法決めされた連続柔軟封止材がある、請求項１〜２２のいずれかに記載の供給装置。
［請求項２４］
前記カプラが、カプラ軸を規定する概略細長い本体であり、前記本体を通る流体流が、前記カプラ軸と概略平行であり、
前記フィッティングが、前記フィッティング軸を規定する概略細長い本体であり、前記フィッティング本体を通る流れが、前記フィッティング軸に概略平行であり、
結合中に、前記カプラ軸が前記フィッティング軸と共軸である、請求項１〜２３のいずれかに記載の供給装置。
［請求項２５］
前記カプラが、カプラ軸を規定する概略細長い本体であり、前記本体を通る流体流が、前記カプラ軸と概略平行であり、
前記フィッティングが、前記フィッティング軸を規定する概略細長い本体であり、前記フィッティング本体を通る流れが、前記フィッティング軸に概略平行であり、
結合中、前記カプラ軸が前記フィッティング軸に対して斜めである、請求項１〜２３のいずれかに記載の供給装置。
［請求項２６］
前記角度が９０°である、請求項２５に記載の供給装置。
［請求項２７］
前記カプラの前記孔が、前記フィッティングの端部と前記孔の間に閉じ込められた空気などの不要流体の経路を提供し、前記空気がそこから漏れることを可能にするように構成された少なくとも１つの通気孔を有する、請求項１〜２６のいずれかに記載の供給装置。
［請求項２８］
前記経路が、前記孔の端から前記カプラの端まで延在する、請求項２７に記載の供給装置。
［請求項２９］
前記フィッティングは、前記フィッティングが工具によって係合され回転されることを可能にするように構成された締め付け部分と隣接する挿入可能部分を有し、前記締め付け部分は、前記フィッティングの前記挿入可能部分と反対端でねじ部分と隣接し、前記フィッティングを機械構成要素と係合させることを可能にするように構成された、請求項１〜２８のいずれかに記載の供給装置。
［請求項３０］
注油又は流体供給を必要とする装置に取り付け可能なフィッティングと、流体リザーバに接続可能な相補的カプラとを有する装置であって、
挿入可能部分とフィッティング流路を有するフィッティングを備え、前記フィッティング流路が、前記フィッティングの前記挿入可能部分の外側の周囲溝に開く４つの入口と、前記挿入可能部分の遠位で前記フィッティングの端部を通る第２の出口と繋がり、
前記フィッティングが、前記周囲溝の両側に１つずつ２つの封止溝を有し、各封止溝が、連続柔軟封止材を備え、
前記カプラが、本体と、内側壁を有する孔とを有し、前記孔が、前記フィッティングの前記挿入可能部分の上を締まり嵌めするように寸法決めされ、その結果、前記柔軟封止材が、前記孔の前記側壁に対する密封を形成し、
前記カプラが、更に、少なくとも２つの供給路を有し、各供給路が、前記孔の前記内側壁を通る１つ以上の供給路出口を有し、その結果、
前記挿入可能部分が前記孔内の送出位置にあるときに、前記流体を圧力下で前記流体リザーバから前記供給路を介して前記フィッティング流路に送ることができ、前記流体は、前記少なくとも１つの供給路出口から前記供給路を出て、少なくとも１つの前記入口から前記フィッティング流路に入ることができる装置。
［請求項３１］
前記周囲溝が、更に他の連続柔軟封止材を備えてもよい、請求項３０に記載の装置。
［請求項３２］
前記挿入可能部分が、挿入軸を規定し、前記入口が、前記挿入可能部分の側壁に配置され、前記軸に対して横方向に流体を受け取るように構成された、請求項３０〜３１のいずれかに記載の装置。
［請求項３３］
前記横受け取り方向が、前記軸に垂直である、請求項３２に記載の装置。
［請求項３４］
前記カプラの前記孔が、第２の挿入軸を規定し、前記供給路出口が、前記孔の側壁に配置され、流体を前記第２の軸に対して横方向に放出するように構成された、請求項３０〜３１のいずれに記載の装置。
［請求項３５］
前記横放出方向が、前記第２の軸に垂直である、請求項３４に記載の装置。
［請求項３６］
前記フィッティングの前記挿入可能部分が、円錐台形状であり、前記カプラの前記孔が、相補的円錐台形状である、請求項３０〜３５のいずれかに記載の装置。
［請求項３７］
注油又は流体供給を必要とする装置に取り付け可能で、流体リザーバに接続可能な相補的カプラに取り付け可能なフィッティングであって、
前記フィッティングが、挿入可能部分とフィッティング流路とを有し、前記フィッティング流路が、前記フィッティングの前記挿入可能部分の側面を通る１つ以上の入口と、前記挿入可能部分の遠位で前記フィッティングの端部を通る第２の出口とを有し、
その結果、前記フィッティングの前記挿入可能部分がカプラの孔内の送出位置にあるときに、流体を圧力下で前記フィッティング流路を介して前記流体リザーバから送ることができる、フィッティング。
［請求項３８］
前記フィッティング流路が、少なくとも１つの可動封止手段を有する、請求項３７に記載の装置。
［請求項３９］
前記可動封止手段が、前記フィッティング流路の各入口の近くに配置された、請求項３８に記載の装置。
［請求項４０］
前記封止手段が、弾性に取り付けされた球状ボールである、請求項３８に記載の装置。
［請求項４１］
前記フィッティング流路が、第２の流路径部分に至る第１の流路径部分を有し、前記第２の部分より小さい前記第１の径部分がバルブシートを規定し、
前記球状ボールが、前記バルブシートに付勢し封止するように前記第２の流路径部分内に配置された、請求項４０に記載の装置。
［請求項４２］
前記各入口が、孔又はスロットであり、１〜１０００μmの幅を有する、請求項３７〜４１のいずれかに記載の装置。
［請求項４３］
１対の平行スロットの形の入口があり、各入口が、前記フィッティングの挿入可能部分の断面の大部分又は実質的に全てを横切って延在する、請求項３７〜４２のいずれかに記載の装置。
［請求項４４］
前記挿入可能部分が、挿入軸を規定し、前記入口が、前記挿入可能部分の側壁に配置され、流体を前記軸に対して横方向に受け取るように構成された、請求項３７〜４３のいずれかに記載の装置。
［請求項４５］
前記横受け取り方向が、前記軸に垂直である、請求項４４に記載の装置。
［請求項４６］
前記フィッティングの前記挿入可能部分が、円錐台形状であり、前記カプラの前記孔が、相補的円錐台形状である、請求項３７〜４５のいずれかに記載の装置。
［請求項４７］
前記挿入可能部分は、断面が概略円筒状であり、前記概略円筒状挿入可能部分の軸に平行な挿入方向を規定する、請求項３７〜４５のいずれかに記載の装置。
［請求項４８］
前記フィッティングが、前記挿入可能部分の周囲に配置された少なくとも１つの周囲溝を有し、前記１つ以上の入口が、前記溝と連通し前記フィッティング流路に至る、請求項３７〜４７のいずれかに記載の装置。
［請求項４９］
少なくとも１つの連続柔軟封止材の形の更に他の封止手段が、前記周囲溝内に配置され、まわりの周囲ギャップから出て、前記柔軟封止材が、流体を前記１つ以上の入口からまわりに押し出すことを可能にするようにサイズ決めされた、請求項４８に記載の装置。
［請求項５０］
前記フィッティングの前記挿入可能部分が、前記カプラと前記フィッティングの間の流体密封を提供する流体封止手段を有する、請求項３７〜４９のいずれかに記載の装置。
［請求項５１］
前記フィッティングが、前記フィッティングの前記挿入可能部分の周囲に１対の平行な連続フィッティング封止溝、第１のフィッティング封止溝と第２のフィッティング封止溝とを有し、前記第１の溝が各入口より上にあり、前記第２の溝が各入口より下にあり、
各フィッティング封止溝内に、前記カプラの孔の内側側壁に対する流体密封を形成するように寸法決めされた連続柔軟封止材がある、請求項５０に記載の装置。
［請求項５２］
流体リザーバに（直接又は間接的に）接続可能でかつフィッティングに接続可能なカプラを規定する装置であって、
内側壁を有する孔を有する本体を有し、前記孔が、フィッティングの挿入可能部分の上で締まり嵌めするように寸法決めされ、
前記カプラが、更に、孔の内側壁を貫通する１つ以上の供給路出口を有する供給路を有し、その結果、フィッティングの挿入可能部分が前記カプラの前記孔の送出位置にあるときに、流体を圧力下で前記流体リザーバから前記供給路を介してフィッティングに送ることができ、
前記流体が、少なくとも１つの供給路出口を通って供給路を出ることができる装置。
［請求項５３］
前記１つ以上の供給路出口が、前記カプラの前記内側側壁のまわりに延在する１つ以上の溝に開く、請求項５２に記載の装置。
［請求項５４］
１〜１０個の供給路出口がある、請求項５２又は５３に記載の装置。
［請求項５５］
６個の供給路出口がある、請求項５４に記載の供給装置。
［請求項５６］
前記カプラが、前記孔の内縁のまわりに第３のカプラ封止溝と第４のカプラ封止溝を含む１対の平行な連続カプラ封止溝を有し、
前記第３の溝は、前記カプラが使用中のときに、前記第３の溝が各供給路出口より上にあり、前記第４の溝が各供給路出口より下にあるように寸法決めされ、
各カプラ封止溝内に、前記フィッティングの前記挿入可能部分の外側に対して流体密封を形成するように寸法決めされた連続柔軟封止材がある、請求項５２〜５５のいずれかに記載の装置。
［請求項５７］
前記カプラが、カプラ軸を規定する概略細長い本体であり、前記本体を通る流体流が、前記カプラ軸と概略平行であり、
前記フィッティングが、前記フィッティング軸を規定する概略細長い本体であり、前記フィッティング本体を通る流れが、前記フィッティング軸に概略平行であり、
結合中に、前記カプラ軸が前記フィッティング軸と共軸である、請求項５２〜５６のいずれかに記載の供給装置。
［請求項５８］
前記カプラが、カプラ軸を規定する概略細長い本体であり、前記本体を通る流体流が、前記カプラ軸と概略平行であり、
前記フィッティングが、前記フィッティング軸を規定する概略細長い本体であり、前記フィッティング本体を通る流れが、前記フィッティング軸に概略平行であり、
結合中、前記カプラ軸が前記フィッティング軸に対して斜めである、請求項５２〜５６のいずれかに記載の供給装置。
［請求項５９］
前記角度が９０°である、請求項５８に記載の供給装置。
［請求項６０］
前記カプラの前記孔が、前記フィッティングの端部と前記孔の間に閉じ込められた空気などの不要流体のための経路を提供し、前記空気が漏れることを可能にするように構成された少なくとも１つの通気孔を有する、請求項５２〜５９のいずれかに記載の供給装置。
［請求項６１］
前記経路が、前記孔の端から前記カプラの端まで延在する、請求項６０に記載の供給装置。
［請求項６２］
前記カプラの前記孔が、第２の挿入軸を規定し、前記供給路出口が、前記孔の側壁に配置され、流体を前記第２の軸に対して横方向に放出するように構成された、請求項５２〜６１のいずれに記載の装置。
［請求項６３］
前記横放出方向が、前記第２の軸に垂直である、請求項６２に記載の装置。
［請求項６４］
前記カプラの前記孔が、円錐台形状である、請求項１〜６３のいずれかに記載の装置。
［請求項６５］
前記カプラが、前記カプラの前記孔内に追加の封止手段を有していない、請求項５２〜５５及び５７〜６４のいずれかに記載の装置。
［請求項６６］
前記カプラの前記孔が、前記フィッティングの端部と前記孔との間に閉じ込められた空気などの不要流体のための経路を提供し、前記空気が漏れることを可能にするように構成された少なくとも１つの通気孔を有する、請求項５２〜６５のいずれかに記載の装置。
［請求項６７］
前記少なくとも１つの通気孔は、前記供給路の上流の前記カプラの部分が、大気に対してほとんど開くような大きさ及び／又は数である、請求項６６に記載の装置。
［請求項６８］
前記カプラが、骨格であり、前記供給路が、前記骨格構造の肢部を貫通する、請求項６７に記載の装置。
［請求項６９］
前記経路が、前記孔の端から前記カプラの端まで延在する、請求項６８に記載の装置。
［請求項７０］
ガスをガス供給源から、加圧又は膨張される構成要素に提供するためのフィッティング組立体であって、
第１端と第２端を有し、バルブ本体壁を規定する少なくとも部分的に中空の細長いバルブ本体と、
前記中空バルブ本体内で摺動可能に配置されたバルブコアとを有し、
前記バルブ本体が、前記バルブ本体壁内に少なくとも１つの通路を有し、前記通路が、前記バルブ本体の空洞の内側面の入口で始まり、前記通路の少なくとも最初部分が、バルブ本体を横切って延在し、前記バルブ本体の第１端から遠くに配置された出口で終端し、
前記バルブコアは、第１の位置のときに前記入口を塞ぎ、第２の位置のときに前記入口を開く、フィッティング組立体。
［請求項７１］
記バルブコアは、前記バルブコアが少なくともほとんど前記バルブ本体内にある第１の位置と、前記バルブコアが完全に前記バルブ本体内にある第２の位置の間で動かされうるように、前記バルブ本体の前記空洞内に保持された、請求項７０に記載のフィッティング組立体。
［請求項７２］
前記バルブコアが、前記第１の位置に向けて付勢された、請求項７０又は請求項７１に記載のフィッティング組立体。
［請求項７３］
前記バルブコアが、前記バルブコアの外側面と、前記バルブ本体の前記空洞の内側面との間に封止手段を有する、請求項７０〜７２のいずれかに記載のフィッティング組立体。
［請求項７４］
前記封止手段が、１対の柔軟連続封止材を備え、前記柔軟連続封止材の一方が、前記少なくとも１つの入口の高さより上に配置され、前記封止材の他方が、前記少なくとも１つの入口の高さより下に配置された、請求項７０〜７３のいずれかに記載のフィッティング組立体。
［請求項７５］
前記中空体が、前記第２端である一端で塞がれた、請求項７０〜７４のいずれかに記載のフィッティング組立体。
［請求項７６］
前記バルブ本体が、前記バルブコアの外側面と、前記バルブ本体の前記空洞の内側面との間に封止手段を有する、請求項７０〜７５のいずれかに記載のフィッティング組立体。
［請求項７７］
前記封止手段が、１対の柔軟連続封止材を備え、前記柔軟連続封止材の一方が、前記少なくとも１つの入口の高さより上に配置され、前記封止材の他方が、前記少なくとも１つの入口の高さより下に配置された、請求項７０〜７６のいずれかに記載のフィッティング組立体。
［請求項７８］
前記バルブ本体は、膨張又は加圧される前記構成要素に嵌まるように構成され、その結果、前記出口が前記構成要素と連通する、請求項７０〜７７のいずれかに記載のフィッティング組立体。
［請求項７９］
流体供給源から流体を受け取り、フィッティングと結合するように構成されたカプラであって、
第１の入口端と第２の出口端を有する細長い本体であって、前記入口端が、前記流体供給源から流体を受け取るように構成され、前記出口端が、フィッティングと結合するように構成された細長い本体と、
内部突出部を規定し、前記内部突出部を取り囲む、前記本体の前記出口端内の収容凹部と、
前記入口から前記突出部内を通り、前記突出部の外壁の少なくとも１つの出口で終端する流体供給通路であって、前記出口が、前記本体の軸を横切る方向に流体を放出するように構成された流体供給通路とを有するカプラ。
［請求項８０］
前記横断方向が、垂直である、請求項７９に記載のカプラ。
［請求項８１］
前記１つ以上の出口が、前記突出部の外側面のまわりに延在する１つ以上の溝に開く、請求項７９又は８０に記載のカプラ。
［請求項８２］
１〜１０個の出口がある、請求項７９〜８１のいずれかに記載のカプラ。
［請求項８３］
２つの出口がある、請求項８２に記載のカプラ。
［請求項８４］
前記カプラが、前記突出部の外側面のまわりに第１のカプラ封止溝と第２のカプラ封止溝を含む１対の平行連続カプラ封止溝を有し、前記第１の溝が前記出口より上に配置され、前記第２の溝が前記出口より下に配置され、
各カプラ封止溝内に連続柔軟封止材がある、請求項７９〜８３のいずれかに記載のカプラ。
［請求項８５］
前記本体の前記出口端内の前記収容凹部が、更に、前記収容凹部のまわりに延在する外壁を規定する、請求項７９〜８４のいずれかに記載のカプラ。
［請求項８６］
前記外側壁が、前記突出部の最も外側の長さより突出する、請求項８５に記載のカプラ。
［請求項８７］
流体移動装置であって、
請求項７０〜７８のいずれかに記載のフィッティングと、
請求項７９〜８６のいずれかに記載のカプラとを備えた流体移動装置。
［請求項８８］
係合状態にあるとき、前記出口が、前記入口と連通することができる、請求項８７に記載の流体移動装置。
［請求項８９］
注油される構成要素にグリースを通すために、使用中にグリース供給源に接続されたカプラに取り付け可能なニップルであって、
注油される前記構成要素に取り付けられる第１端と、グリース供給構成要素に結合される挿入可能部分と、少なくとも１つの入口と１つ以上の出口とを有するグリース流路とを有する第２端とを有し、
前記１つ以上のグリース流路入口が、前記ニップルの前記第２端に配置され、結合方向を横切る、ニップル。
［請求項９０］
グリース供給源からグリースニップルにグリースを提供するためのカプラであって、
圧力下でグリース供給源に取り付けられる第１端と、グリースニップルを収容し結合する第２端と、
前記グリース供給源に隣接した前記第１端に１つ以上の入口と、前記第２端に１つ以上の出口とを有するグリース流路とを備え、
前記グリース出口が、前記カプラの前記第２端の収容口の内側に配置され、前記出口が、結合方向を横切る、カプラ。
［請求項９１］
実質的に本明細書に記載され、図面の１つ以上に関連したフィッティング。
［請求項９２］
実質的に本明細書に記載され、図面の１つ以上に関連したカプラ。
［請求項９３］
実質的に本明細書に記載され、図面の１つ以上に関連した流体移動装置。
［請求項９４］
実質的に本明細書に記載され、図面の１つ以上に関連したグリースニップル。
［請求項９５］
実質的に本明細書に記載され、図面の１つ以上に関連したグリースニップルカプラ。